(57)【要約】      （修正有）【課題】火から下ろした直後の高温の鍋であっても収納可能であると共に、保温調理に使用可能な高い保温性を備える鍋用保温カバーを提供する。【解決手段】カバー本体部１１と、上記カバー本体部に着脱可能に形成された蓋部１２とを有し、上記カバー本体部及び蓋部は、布製のアウター部１３，２１と、ガラス繊維により形成されたインナー部とにより構成されている。【選択図】図１
0003173602.tif 000002
【実用新案登録請求の範囲】
【請求項１】
カバー本体部と、上記カバー本体部に着脱可能に形成された蓋部とを有し、上記カバー本体部及び蓋部は、布製のアウター部と、ガラス繊維により形成されたインナー部とにより構成されていることを特徴とする鍋用保温カバー。
【請求項２】
上記インナー部は、ガラス繊維層と、上記ガラス繊維層を被覆するアルミニウム蒸着層とにより構成されていることを特徴とする請求項１記載の鍋用保温カバー。
【請求項３】
上記インナー部は、上記アウター部と取り外し可能に形成されていることを特徴とする請求項１または２に記載の鍋用保温カバー。
【請求項４】
上記蓋部の一部には収納した鍋の取っ手が突出しうるスリットが形成されていることを特徴とする請求項１〜３のいずれか１項に記載の鍋用保温カバー。
【請求項５】
上記カバー本体部は、上記カバー本体部の底面部上に配置される中敷きを有することを特徴とする請求項１〜４のいずれか１項に記載の鍋用保温カバー。
【請求項６】
上記本体部は上方開口部を有する短円筒状に形成され、上記蓋部は上記上方開口部を被覆しうる略短円錐状に形成されていると共に、上記本体部の上端周縁部、および上記蓋部の周縁部にはファスナー部材が設けられると共に、上記本体部の底面部の径方向両端部には、上記本体部、および蓋部を折り畳んだ際に、折り畳んだ状態を維持できる固定部材が設けられていることを特徴とする請求項１〜５のいずれか１項に記載の鍋用保温カバー。
【考案の詳細な説明】
【技術分野】
【０００１】
本考案は、鍋用保温カバーに係り、特に、保温調理に使用可能な鍋用保温カバーに関する。
【背景技術】
【０００２】
鍋で煮物等を調理する方法として、保温調理が知られている。
【０００３】
保温調理とは、余熱を利用した調理法であり、食材を短時間煮立てた後、鍋全体を保温し、長時間かけて鍋の温度を下げることにより、食材に味を染み込ませる調理法をいう。
【０００４】
従来、鍋全体を包み込み、保温調理を行うために使用される道具として、低密度ポリエチレン樹脂を発泡させて形成した断熱性を有する樹脂シートを芯材とする保温袋が知られている。（特許文献１）
【０００５】
上記保温袋は、断熱性に優れる低密度ポリエチレン樹脂を芯材として使用しており、高い保温性を有している。
【０００６】
しかしながら、芯材に使用されている低密度ポリエチレン樹脂は耐熱性に劣り、火から下ろした直後の高温になった鍋を上記保温袋に収納した場合には、低密度ポリエチレン樹脂が融解し、上記芯材が劣化してしまう虞があることから、火から下ろした直後の鍋を収納することはできないという問題があった。
【特許文献１】特開２００１−１７１７５８号広報
【考案の開示】
【考案が解決しようとする課題】
【０００７】
そこで、本考案は、火から下ろした直後の高温の鍋であっても収納可能であると共に、保温調理に使用可能な高い保温性を備える鍋用保温カバーを提供することにある。
【課題を解決するための手段】
【０００８】
上記課題を解決するために、請求項１の考案に係る鍋用保温カバーは、カバー本体部と、上記カバー本体部に着脱可能に形成された蓋部とを有し、上記カバー本体部及び蓋部は、布製のアウター部と、ガラス繊維により形成されたインナー部とにより構成されていることを特徴とする。
【０００９】
したがって、カバー本体部と、上記カバー本体部に着脱可能に形成された蓋部とを有することから、鍋を上記カバー本体部に収納し、上記蓋部を上記カバー本体部上に配置することにより、鍋全体を覆うことができる。
【００１０】
また、上記カバー本体部及び蓋部は、布製のアウター部と、ガラス繊維により形成されたインナー部とにより構成されており、一般に、ガラス繊維は断熱性、および耐熱性が高いことから、ガラス繊維により形成された上記インナー部は高い断熱性、および耐熱性を有する。
【００１１】
したがって、請求項１の考案に係る鍋用保温カバーは、鍋全体を高い断熱性を有する上記インナー部で覆うことにより、上記鍋の熱を逃がし難くすることができ、上記インナー部を上記アウター部が覆うことにより、さらに熱を逃がし難くすることができる。
【００１２】
また、請求項１の考案に係る鍋用保温カバーは、上記インナー部が高い耐熱性を有することから、火から下ろした直後の高温の鍋を収納し、上記鍋が上記インナー部に接触した場合であっても、上記インナー部が融解等によって劣化する虞はない。
【００１３】
請求項２に記載の考案にかかる鍋用保温カバーは、上記インナー部は、ガラス繊維層と、上記ガラス繊維層を被覆するアルミニウム蒸着層とにより構成されていることを特徴とする。
【００１４】
したがって、上記インナー部が、ガラス繊維層と、上記ガラス繊維層を被覆するアルミニウム蒸着層とにより構成されていることから、上記インナー部の上記ガラス繊維層が上記アルミニウム蒸着層により被覆されている。
【００１５】
請求項３に記載の考案にかかる鍋用保温カバーは、上記インナー部は、上記アウター部と取り外し可能に形成されていることを特徴とする。
【００１６】
したがって、上記インナー部が、上記アウター部と取り外し可能に形成されていることから、上記インナー部を上記アウター部から取り外すことが可能である。
【００１７】
請求項４に記載の考案にかかる鍋用保温カバーは、上記蓋部の一部には収納した鍋の取っ手が突出しうるスリットが形成されていることを特徴とする。
【００１８】
したがって、上記蓋部の一部に、収納した鍋の取っ手が突出しうるスリットが形成されていることから、収納する鍋が片手鍋である場合にも、上記スリットから上記片手鍋の取っ手のみを出し、上記鍋本体部を全域にわたって覆うことが可能である。
【００１９】
請求項５に記載の考案にかかる鍋用保温カバーは、上記カバー本体部は、上記カバー本体部の底面部上に配置される中敷きを有することを特徴とする。
【００２０】
したがって、上記カバー本体部の底面部上に配置される中敷きを有することから、上記中敷きを上記カバー本体部の底面部上に配置することにより、上記底面部の断熱性をより高められると共に、上記鍋の底部が上記インナー部に接触することを防ぐことができる。
【００２１】
請求項６に記載の考案にかかる鍋用保温カバーは、上記本体部は上方開口部を有する短円筒状に形成され、上記蓋部は上記上方開口部を被覆しうる略短円錐状に形成されていると共に、上記本体部の上端周縁部、および上記蓋部の周縁部にはファスナー部材が設けられると共に、上記本体部の底面部の径方向両端部には、上記本体部、および蓋部を折り畳んだ際に、折り畳んだ状態を維持できる固定部材が設けられていることを特徴とする。
【００２２】
したがって、請求項６に記載の考案にかかる鍋用保温カバーは、上記本体部の上端周縁部、および上記蓋部の周縁部にはファスナー部材が設けられていることから、上記上端周縁部と上記周縁部を上記ファスナー部材で結合することにより、上記本体部と上記蓋部との間の気密性が増す。
【００２３】
また、上記本体部の底面部の径方向両端部には、上記本体部、および蓋部を折り畳んだ際に、折り畳んだ状態を維持できる固定部材が設けられていることから、上記本体部、および蓋部を折り畳むことができる。
【考案の効果】
【００２４】
請求項１の考案に係る鍋用保温カバーは、鍋を上記カバー本体部に収納し、上記蓋部を取り付けることにより、鍋全体を覆うことができると共に、上記鍋全体を高い断熱性を有する上記インナー部で覆うことにより、上記鍋の熱を逃がし難くすることができ、上記インナー部を上記アウター部が覆うことにより、さらに熱を逃がし難くすることができ、その結果、保温調理に使用可能な高い保温性を発揮することができる。
【００２５】
また、請求項１の考案に係る鍋用保温カバーは、上記インナー部が高い耐熱性を有することから、火から下ろした直後の高温の鍋を収納し、上記鍋が上記インナー部に接触した場合であっても、上記インナー部が融解等によって劣化する虞はなく、その結果、火から下ろした直後の高温の鍋を収納することができる。
【００２６】
請求項２に記載の考案に係る鍋用保温カバーは、上記インナー部の上記ガラス繊維層が上記アルミニウム蒸着層により被覆されており、その結果、上記インナー部表面に汚れが付着した場合には、上記インナー部表面の上記アルミニウム蒸着層が、上記ガラス繊維層への上記汚れの浸透を防ぐことから、上記インナー部表面を中性洗剤を含ませた布等を用いて拭き取ることにより、上記汚れを容易に取り除くことが可能である。
【００２７】
請求項３に記載の考案に係る鍋用保温カバーは、上記インナー部を上記アウター部から取り外すことが可能であり、その結果、上記アウター部が汚れた場合には、上記インナー部を上記アウター部から取り外し、布製の上記アウター部のみを洗濯することができる。
【００２８】
請求項４に記載の考案に係る鍋用保温カバーは、収納する鍋が片手鍋である場合にも、上記スリットから上記片手鍋の取っ手のみを出し、上記鍋本体部を全域にわたって覆うことが可能であり、その結果、収納する鍋が片手鍋である場合にも使用できることから、鍋の形状にかかわらず有効に保温することができる。
【００２９】
請求項５に記載の考案に係る鍋用保温カバーは、上記中敷きを上記カバー本体部の底面部上に配置することにより、上記底面部の断熱性をより高められ、その結果、上記鍋用保温カバーの保温性をさらに高めることができる。
【００３０】
また、上記鍋の底部が上記インナー部に接触することを防ぐことができ、その結果、上記インナー部が上記鍋の上記底部によって傷つけられることを防止でき、長期間に及ぶ使用を可能とする。
【００３１】
請求項６に記載の考案にかかる鍋用保温カバーは、上記本体部の上端周縁部、および上記蓋部の周縁部にはファスナー部材が設けられていることから、上記上端周縁部と上記周縁部を上記ファスナー部材で結合することにより、上記カバー本体部と上記蓋部との間の気密性が増し、その結果、保温性をさらに向上させることができる。
【００３２】
また、上記本体部、および蓋部を折り畳むことができ、その結果、請求項６に記載の考案にかかる鍋用保温カバーは、容易に収納することができる。
【図面の簡単な説明】
【００３３】
【図１】本考案に係る鍋用保温カバーの一実施の形態における鍋用保温カバーの斜視図である。
【図２】本考案に係る鍋用保温カバーの一実施の形態における鍋用保温カバーのカバー本体部を示す斜視図である。
【図３】本考案に係る鍋用保温カバーの一実施の形態における鍋用保温カバーのカバー本体部の底面部を示す斜視図である。
【図４】本考案に係る鍋用保温カバーの一実施の形態における鍋用保温カバーの蓋部を示す斜視図である。
【図５】本考案に係る鍋用保温カバーの一実施の形態における鍋用保温カバーの蓋アウター部を示す斜視図である。
【図６】本考案に係る鍋用保温カバーの一実施の形態における鍋用保温カバーの分解斜視図である。
【図７】本考案に係る鍋用保温カバーの一実施の形態における鍋用保温カバーを折り畳んだ状態を示す斜視図である。
【考案を実施するための最良の形態】
【００３４】
以下、添付図面に示す実施の形態に基づき、本考案を詳細に説明する。
【００３５】
図１に示すように、本実施の形態に係る鍋用保温カバー１０は、短円筒状のカバー本体部１１と、上記カバー本体部１１に着脱可能に形成され、全体略円錐状に形成された蓋部１２とを有する。
【００３６】
図２に示すように、上記カバー本体部１１は、カバー本体アウター部１３とカバー本体インナー部１４とにより構成されており、上記カバー本体インナー部１４は、上記カバー本体アウター部１３と取り外し可能に形成されている。
上記カバー本体アウター部１３と上記カバー本体インナー部１４はいずれも短円筒状に形成されている。
また、上記カバー本体部１１は、上記カバー本体部１１の上記カバー本体インナー部１４の底面部３０上に配置される円板状の中敷き１５を有しており、上記中敷き１５の直径は上記カバー本体インナー部１４の上記底面部３０の直径よりもわずかに小さく形成されている。
【００３７】
上記カバー本体アウター部１３の上端外方周面部３１には、蓋部取付用面ファスナー部材雌部１６が設けられており、上記カバー本体インナー部１４の上端部にはスリット２０が設けられている。
【００３８】
図３に示すように、上記カバー本体部１１の上記カバー本体アウター部１３の底面部１７の径方向両端部には、上記カバー本体部１１、および蓋部１２を折り畳んだ際に、折り畳んだ状態を維持できる固定部材として、径方向外方へ突出する短帯状の折畳用面ファスナー部材雄部１８、および上記底面部１７に逢着された略正方形の折畳用面ファスナー部材雌部１９が設けられている。
【００３９】
図４に示すように、上記蓋部１２は、蓋アウター部２１と蓋インナー部２２とにより構成されており、上記蓋インナー部２２は、上記蓋アウター部２１と取り外し可能に形成されている。
【００４０】
図５及び図６に示すように、上記蓋部１２は、円錐形状の蓋本体部３３と、上記蓋本体部３３の周縁全域において下方へ垂下されて形成された接合スカート部３４とを有している。
【００４１】
上記蓋部１２の開口部４０の直径Ｌは、上記カバー本体部１１の開口部の直径Ｌ１よりもやや大きく形成され、上記蓋部１２が上記カバー本体部１１を覆うようにして取り付けられた場合には、上記蓋部１２はカバー本体部１１の開口部４１を、上記接合スカート部３４が上記カバー本体部１１の上端外方周面部３１に当接した状態で被覆できるように構成されている。
【００４２】
上記蓋本体部３３及び上記接合スカート部４０は上記蓋アウター部２１により形成され、上記接合スカート部３４の一部は切り欠かれて、スリット２６が形成されている。
【００４３】
図４及び図５に示すように、上記蓋アウター部２１により形成された上記蓋本体部３３の内側面部３２には、上記蓋インナー部２２が着脱可能に配設されている。
【００４４】
上記蓋インナー部２２は、上記蓋本体部３３の形状と同一の短円錐形状に形成され、直径は上記蓋本体部３３の直径と略同一に形成されている。
【００４５】
図４および図５に示すように、上記接合スカート部３４の内周面部３５には、帯状の蓋部取付用面ファスナー部材雄部２４が全域にわたって設けられている。また、上記蓋本体部３３の内側周縁部３８全域には、帯状の蓋インナー取付用面ファスナー部材雄部２５が設けられている。
【００４６】
図６に示すように、蓋部１２の上記蓋インナー部２２の外側周縁部３９全域には、帯状の蓋インナー取付用面ファスナー部材雌部２３が設けられており、上記蓋インナー取付用面ファスナー部材雌部２３と蓋インナー取付用面ファスナー部材雄部２５とを係合させることにより、上記蓋インナー部２２と上記蓋アウター部２１は取り外し可能に固定される。
【００４７】
また、図４および図６に示すように、上記カバー本体部１１と上記蓋部１２は、上記蓋部取付用面ファスナー部材雌部１６と、上記蓋部取付用面ファスナー部材雄部２４とを係合させることにより、脱着可能に固定されている。
【００４８】
上記カバー本体インナー部１４、および上記蓋インナー部２２は共に、ガラス繊維層をアルミニウム蒸着層によって被覆した素材により構成されている。
【００４９】
また、上記カバー本体アウター部１３、および上記蓋アウター部２１は共に布製である。
【００５０】
以下、本実施の形態に係る鍋用保温カバー１０の作用について説明する。
【００５１】
図１及び図２に示すように、上記鍋用保温カバー１０に片手鍋２７を収納する場合には、まず、上記カバー本体部１１に、上記スリット２０から上記片手鍋２７の取っ手２８が突出するように配置する。
【００５２】
次に、上記蓋部１２を上記スリット２６から上記取っ手２８が突出するように、上記カバー本体部１１上に配置し、上記蓋部１２の蓋部取付用面ファスナー部材雄部２４と、上記カバー本体部１１の蓋部取付用面ファスナー部材雌部１６とを係合させ、上記カバー本体部１１に上記蓋部１２を固定する。
【００５３】
この場合、図１に示すように、上記鍋用保温カバー１０は、上記蓋部１２が略円錐状であることから、上記片手鍋２７が鍋蓋３６の取っ手３７を有することにより、上方へ突出した形状である場合であっても、上記片手鍋２７を収納することができる。
【００５４】
また、上記鍋用保温カバー１０は、上記片手鍋２７の上記取っ手２８を突出させることができると共に、上記蓋部１２はカバー本体部１１の開口部４１を、上記接合スカート部３４が上記カバー本体部１１の上端外方周面部３１に当接し、かつ、上記蓋部１２の上記蓋部取付用面ファスナー部材雄部２４と、上記カバー本体部１１の蓋部取付用面ファスナー部材雌部１６とが係合した状態で被覆することができることから、上記片手鍋２７の鍋本体部２９全体を気密性が高い状態で覆うことが可能である。
【００５５】
また、上記カバー本体インナー部１４、および上記蓋インナー部２２は共にガラス繊維層をアルミニウム蒸着層によって被覆した素材により構成されており、一般に、ガラス繊維は断熱性、および耐熱性が高いことから、上記カバー本体インナー部１４、および上記蓋インナー部２２は高い断熱性、および耐熱性を有している。
【００５６】
上記鍋用保温カバー１０に上記片手鍋２７を収納した場合には、断熱性の高い上記カバー本体インナー部１４、および上記蓋インナー部２２が上記鍋本体部２９全体を覆うことにより、熱を逃がし難くすることができ、上記カバー本体インナー部１４および上記蓋インナー部２２を、上記カバー本体アウター部１３および上記蓋アウター部２１が覆うことにより、さらに熱を逃がし難くすることができる。
【００５７】
また、上記カバー本体部１１は、上記中敷き１５を有することから、上記カバー本体部１１の底面部の断熱性を高めると共に、上記片手鍋２７の底部が上記カバー本体インナー部１４に接触し、上記本体インナー部１４が傷つけられることを防止する。
【００５８】
また、上記カバー本体インナー部１４、および上記蓋インナー部２２は高い断熱性を有することから、火から下ろした直後の高温の片手鍋２７を収納し、上記片手鍋２７が上記カバー本体インナー部１４、および上記蓋インナー部２２に接触した場合であっても、上記カバー本体インナー部１４、および上記蓋インナー部２２が融解等によって劣化する虞はない。
【００５９】
上記カバー本体インナー部１４、および上記蓋インナー部２２は、上記アルミ蒸着層により被覆されていることから、上記カバー本体インナー部１４または上記蓋インナー部２２の表面に汚れが付着した場合には、汚れの付着した上記カバー本体インナー部１４または上記蓋インナー部２２の表面を中性洗剤を含ませた布等を用いて拭き取ることにより、汚れを容易に取り除くことができる。
【００６０】
また、上記カバー本体アウター部１３と上記カバー本体インナー部１４、および上記蓋アウター部２１と上記蓋インナー部２２は共に取り外し可能であることから、上記カバー本体アウター部１３または上記蓋アウター部２１が汚れた場合には、上記カバー本体アウター部１３または上記蓋アウター部２１を上記鍋用保温カバー１０から取り外して洗濯することができる。
【００６１】
上記鍋用保温カバー１０を保管する際には、上記鍋用保温カバー１０を内方へ折り畳み、上記折畳用面ファスナー部材雄部１８を折畳用面ファスナー部材雌部１９に係合させることにより、折り畳み状態を維持できることから、容易に収納できる。
【００６２】
本実施の形態においては、上記鍋用保温カバー１０に収納する鍋として、上記片手鍋２７を用いたが、上記鍋用保温カバー１０に収納する鍋の種類は、片手鍋に限定されず、任意の鍋に使用可能である。
【産業上の利用可能性】
【００６３】
本考案は、広く鍋用保温カバーに適用可能であるため、産業上の利用可能性を有している。
【符号の説明】
【００６４】
１０    鍋用保温カバー
１１    カバー本体部
１２    蓋部
１３    カバー本体アウター部
１４    カバー本体インナー部
１５    中敷き
１６    蓋部取付用面ファスナー部材雌部
１７    底面部
１８    折畳用面ファスナー部材雄部
１９    折畳用面ファスナー部材雌部
２０    スリット
２１    蓋アウター部
２２    蓋インナー部
２３    蓋インナー取付用面ファスナー部材雌部
２４    蓋部取付用面ファスナー部材雄部
２５    蓋インナー取付用面ファスナー部材雄部
２６    スリット
２７    片手鍋
２８    取っ手
２９    鍋本体
３０    底面部
３１    上端外方周面部
３２    内側面部
３３    蓋本体部
３４    接合スカート部
３５    内周面部
３６    鍋蓋
３７    取っ手
３８    内側周縁部
３９    外側周縁部
４０    蓋部の開口部
４１    カバー本体部の開口部
Ｌ      蓋部の開口部の直径
Ｌ１    カバー本体部の開口部の直径
【図１】
0003173602.tif 000003
【図２】
0003173602.tif 000004
【図３】
0003173602.tif 000005
【図４】
0003173602.tif 000006
【図５】
0003173602.tif 000007
【図６】
0003173602.tif 000008
【図７】
0003173602.tif 000009